(57)【特許請求の範囲】
【請求項１】
一対の筐体を回働自在に保持し、前記一対の筐体を開放させることによって、カード搬送路をむき出し可能にするとともに、前記カード搬送路にカードを挿入するカード挿入口を備え、前記カード搬送路内に前記カード挿入して所定の処理を行うと共に、メモリカードを着脱自在に保持するカード着脱部を備えたカードリーダであって、一方の筐体に前記カード着脱部を覆う開閉自在のカバーを設け、前記カバーを開いたときに前記カード挿入口を塞ぐような位置にカバーを配置し、一対の筐体を開放可能にする機構と前記カバーの開閉機構を個別に設けた事を特徴とするカードリーダ。
【請求項２】
長孔を一方の筐体に設け、カバーに回働軸を設け、前記回働軸を前記長孔に挿入した事を特徴とする請求項１記載のカードリーダ。
【発明の詳細な説明】
【０００１】
【発明の属する技術分野】
本発明は、顧客管理やポイントサービスなどに用いられ、磁気カード，ＩＣカード，リライトカード，非接触ＩＣカードなどのカード状担体にデータの記録，再生，印字などの少なくとも一つを行うカードリーダに関するものである。
【０００２】
【従来の技術】
図５は従来のカードリーダを示す斜視図である。図５において、１はカードリーダの本体で、本体１は上部筐体２と下部筐体３で構成されており、上部筐体２と下部筐体３はヒンジ等の結合手段によって結合されている。
【０００３】
４は上部筐体２に設けられたディスプレー、５は上部筐体２に設けられたキーボード、６は上部筐体２と下部筐体３の間に形成されたカード搬送路（図示せず）にカードを挿入するカード挿入口である。カード挿入口６は下部筐体３に回働軸を持つ蓋７に設けられている。
【０００４】
蓋７は一方の端部は下部筐体３に回働自在に取り付けられており、他方の端部は上部筐体２に係合可能なフック部が設けられている。
【０００５】
図６は従来のカードリーダを示す斜視図であり、蓋７を開放すると、メモリカード８がむき出しになる。メモリカード８は上部筐体２にメモリカード８を着脱する着脱部９が設けられている。
【０００６】
【発明が解決しようとする課題】
しかしながら上述の構成では、図７に示すように、上部筐体２と下部筐体３を回働軸を中心に回働させて、カード搬送路１０をむき出しにしてメンテナンスなどを行うが、この様な構成では、まず、メンテナンス等を行う場合には、蓋７の一端部を上部筐体２から係合を解除して、メモリカード８を露出させた状態で、行わせなければならないので、メンテナンスなどを行う都度メモリカード８がむき出しになってしまうので、メンテナンス中に誤ってメモリカード８に接触して、メモリカード８が着脱部９から完全には離脱しないものの、十分な電気的接合ができない程の結合が外れてしまったり、または、メンテナンス中等に生じるゴミなどが、着脱部９に入り込んで接触不良を起こしたり等の問題点があった。
【０００７】
本発明は、上記従来の課題を解決するもので、不要なときにメモリカードが露出せず、安定的なメモリカードと本体間の電気的接合を行う事が可能なカードリーダを提供することを目的とする。
【０００８】
【課題を解決するための手段】
本発明は、一対の筐体を開放する機構と、メモリカードを着脱するカード着脱部をカバーする機構を個別に設けた。
【０００９】
【発明の実施の形態】
請求項１に記載の発明は、一対の筐体を回働自在に保持し、前記一対の筐体を開放させることによって、カード搬送路をむき出し可能にするとともに、前記カード搬送路にカードを挿入するカード挿入口を備え、前記カード搬送路内に前記カード挿入して所定の処理を行うと共に、メモリカードを着脱自在に保持するカード着脱部を備えたカードリーダであって、一方の筐体に前記カード着脱部を覆う開閉自在のカバーを設け、前記カバーを開いたときに前記カード挿入口を塞ぐような位置にカバーを配置し、一対の筐体を開放可能にする機構と前記カバーの開閉機構を個別に設けた事によって、一対の筐体を開放してメンテナンスなどを行う都度にメモリカードのカード着脱部を露出させる必要がないので、メモリーカードの安定的な取付を行う事ができる。
【００１１】
また、カバーを開いたときにカード挿入口を塞ぐような位置にカバーを配置した事によって、メモリカードの抜き差しの際に、カードがカード搬送路に誤って挿入される事はなく、不具合な動作を防止できる。
【００１２】
請求項２に記載の発明は、請求項１において、長孔を一方の筐体に設け、カバーに回働軸を設け、前記回働軸を前記長孔に挿入した事によって、カバーの開放量を大きく構成することができ、メモリカードの着脱が非常に容易になる。
【００１４】
以下、本発明におけるの実施の形態について説明する。
図１、図２はそれぞれ本発明の一実施の経対を示す斜視図である。
【００１５】
図１，２において、１１はカードリーダの本体で、本体１１は上部筐体１２と下部筐体１３に分割されており、上部筐体１２と下部筐体１３はヒンジ等の結合手段によって、回働自在に取り付けられている。
【００１６】
１４は上部筐体に設けられた表示部で、表示部１４としては、ＣＲＴや液晶ディスプレー，有機ＥＬディスプレー，ＬＥＤディスプレー，プラズマディスプレー等表示装置の少なくとも一つが用いられる。表示部１４には、現在時刻，処理コマンド，所定のキャラクタ，暗証番号，ＩＤ番号等の内少なくとも一つが表示される。表示部１４は、カード挿入側から表示が見やすいように傾斜した傾斜台１５に設けることが好ましい。
【００１７】
１６は上部筐体１２に設けられ所定のデータ等を入力する入力部で、入力部１６としては、図示しているようにキーボードを用いたり、その他にタッチパネルや手書き入力装置，音声入力装置等の少なくとも一つが用いられる。
【００１８】
なお、本実施の形態では、入力部１６と表示部１４の双方を設けたが、少なくとも一方を設けるように構成しても良い。
【００１９】
１７は上部筐体１２に設けられ、メモリカード１８を覆うカバーで、カバー１７は図２に示すように一方の端部は上部筐体１２に回働自在に取り付けられ、他端は上部筐体１２に係合等による手段を有している。メモリカード１８を本体１１に取り付ける場合には、カバー１７を回働軸を中心に回働させてカード着脱部１９に挿入し、図１に示すようにカバー１７を閉じて、カバー１７の一端を上部筐体１２に係合等の手段によって固定する。メモリカード１８を取り出す場合には、図１に示すよう状態からカバー１７を開いて、メモリカード１８を露出させ、メモリカード１８をカード着脱部１９から引き抜いてカバー１７を閉じるか、或いは別のメモリカード１８を挿入してカバー１７を閉じる。
【００２０】
２０は上部筐体１２と下部筐体１３を互いにロックするロック手段のスライダで、スライダ２０を矢印の方に移動させることによって、ロック手段を解除させ、上部筐体１２と下部筐体１３を回働自在にして、カード搬送路を開放可能にする。
【００２１】
２１は下部筐体に設けられ、本体１１の電源スイッチであり、一般にこの電源スイッチ２１は下部筐体１３に設けられる電源回路に接続されている。
【００２２】
２２はカードを挿入するカード挿入口である。
以上の様に、本実施の形態では、少なくともメモリカード１８を着脱する際に開閉させるカバー１７と、上部筐体１２と下部筐体１３を開放させる機構を別機構とすることによって、カードリーダのメンテナンスを行う場合に、メモリカード１８を外部に露出させる事はないので、メモリカード１８の結合が悪くなったり、ゴミ等がカード着脱部１９に入り込む事はなく、安定したメモリカード１８の取付を行うことができる。
【００２３】
なお、メモリカード１８に記録されている内容としては、例えば、顧客データ，ポイントデータや、印字フォントに関するデータや、アプリケーションソフトに関するデータ等が記憶されている。
【００２４】
メモリカード１８内に顧客データやポイントデータを記録させる場合には、カードに記録されたデータなどを読み取って、メモリカード１８内のデータを更新したり、消去したり、新しい顧客データやポイントデータを記録したりする。
【００２５】
メモリカード１８内に印字データやフォントデータを記録させた場合には、カードに印字するキャラクタ等のフォントや印字するキャラクタ自体を決定したり、或いはカードリーダに接続されるプリンタの印字フォントなどを決定させる。
【００２６】
メモリカード１８内にアプリケーションソフトのデータを記録させていた場合には、カードリーダの本体１１内の動作などを司るソフトの入れ替えなどを容易に行える。
【００２７】
また、図２から判るように、カバー１７を開いた場合には、カバー１７がカード挿入口２２を塞ぐような構成とすることによって、メモリカード１８を着脱する際に誤ってカードをカード搬送路内に挿入することを防止し、不具合な動作が発生するのを防止できる。
【００２８】
次に、本体１１内部について説明する。
図３に示すように、上部筐体１２と下部筐体１３を回働軸を中心に回働させて装置内部を開放すると、カード挿入口に２２に連接するカード搬送路２３を露出させる事ができる。この時カード搬送路は、上部筐体１２，下部筐体１３の少なくとも一方に設けられるか、上部筐体１２と下部筐体１３の間に形成される。本実施の形態の場合には、上部筐体１２にカード搬送路２３が設けられており、カード搬送路２３がむき出しになっている。
【００２９】
下部筐体１３には図示していないモータなどの駆動手段によって駆動され、挿入されたカードをカード搬送路２３内で移動させる駆動ローラ２４，２５，２６が設けられており、この駆動ローラ２４，２５，２６には上部筐体１２に設けられた従動ローラ２７，２８，２９が対向している。カード挿入口２２に挿入されたカードは、この駆動ローラ２４，２５，２６と従働ローラ２７，２８，２９に挟まれてカード搬送路２３内を移動する。
【００３０】
３０は下部筐体１３に設けられた磁気ヘッドで、磁気ヘッド３０には上部筐体に設けられた従働ローラ３１が対向しており、従働ローラ３１はカードの磁気ストライプ部分が磁気ヘッド３０に密接して、データの記録か又は再生の少なくとも一方に不具合が生じないようにしている。
【００３１】
３２，３３はそれぞれ画像の消去ヘッドと画像の印字ヘッドで、消去ヘッド３２と印字ヘッド３３にはそれぞれ駆動手段によって、駆動されるプラテンローラ３４，３５がそれぞれ対向している。
【００３２】
上述のカードリーダの構成で使用されるカードは、磁気ストライプと印字部を設けているタイプである。印字部としては、樹脂中に結晶を散りばめたリライト層やロイコ染料を用いたものが用いられる。これら熱可逆性材料を用いた印刷部は、所定の温度以上で発色し、特定の温度範囲をある程度保持すれば消色するものであるので、上述のように、消去ヘッド３２で印字部の画像を消去し、印字ヘッド３３で画像を形成する。
【００３３】
なお、本実施の形態では、磁気ストライプと印字部を組み合わせたカードに対応したカードリーダを説明したが、カードとして接触式のＩＣカードを用いる場合には、電気接点を本体１１内に設ける必要があるし、非接触式のＩＣカードを用いる場合には、本他１１内にアンテナやコンデンサ等を設ける必要がある。また、印字部もリライト層だけでなく、消去ができない画像形成を行う場合には、消去ヘッド３２は不要となる。
【００３４】
次に、カバー７の構成について詳細に説明する。
図４（ａ）に示すように、カバー１７の一端には回働軸３６が設けられており、この回働軸３６は上部筐体１２に設けられた長孔３７に貫通しており、回働軸３６は長孔３７中で会同する。カバー１７の他端は係合部３９が設けられており、この係合部３９は上部筐体１２に設けられた受け部３８に契合する。
【００３５】
図４（ｂ）はカバー１７の開き始めの状態を示し、図４（ｃ）は完全にカバー１７が開ききった状態を示しており、この時、回働軸３６は図４（ａ）に示す状態で長孔３７に当接していた端部とは反対側の端部に当接した状態となっている。この様な構成によって、カバー１７は広く開放することができ、メモリカード１８の着脱を容易にするとともに、カバー１７を開放したときにカード挿入口２２を塞ぐ構成とすることができる。
【００３６】
【発明の効果】
本発明は、一対の筐体を開放する機構と、メモリカードを着脱するカード着脱部をカバーする機構を個別に設けたので、メンテナンスの際にメモリカードのカード着脱部を露出させる必要はないので、メモリカードの本体との確実な結合を行うことができる。
【図面の簡単な説明】
【図１】本発明の一実施の形態におけるカードリーダを示す斜視図
【図２】本発明の一実施の形態におけるカードリーダを示す斜視図
【図３】本発明の一実施の形態におけるカードリーダを示す斜視図
【図４】本発明の一実施の形態におけるカードリーダを示す部分拡大図
【図５】従来のカードリーダを示す斜視図
【図６】従来のカードリーダを示す斜視図
【図７】従来のカードリーダを示す斜視図
【符号の説明】
１１  本体
１２  上部筐体
１３  下部筐体
１４  表示部
１６  入力部
１７  カバー
１８  メモリカード
１９  カード着脱部
２２  カード挿入口
３６  回働軸
３７  長孔
【図１】
0003632452.tif 000002
【図２】
0003632452.tif 000003
【図３】
0003632452.tif 000004
【図４】
0003632452.tif 000005
【図５】
0003632452.tif 000006
【図６】
0003632452.tif 000007
【図７】
0003632452.tif 000008